(57)【要約】  低粘度材料を主に分配するためスリットを有する柔軟な材料からなるディスペンサー容器（１４）。柔軟な発泡体からなるブロック（１６）がスリット（１８）内に低粘度材料を含有する。塗布先端部（２６）を有する歯科用器具または材料アプリケータ（２４）がブロック（１６）のスリット（１８）に挿入され、塗布先端部（２６）が低粘度材料で被覆される。ブロック（１６）材料の柔軟な特性によって、歯科用器具（２４）がスリット（１８）によって形成された窪み（１９）の内面で器具（２４）を拭き取ることで清浄に保つのにも役立つ。本発明は特に、患者の歯（２７）に比較的粘性のある複合補修材料で作業、形作りまたは輪郭づけに使用する歯科用器具に樹脂のような滑剤を分配するのに適している。
2007505709.tif 000002
【特許請求の範囲】
【請求項１】
材料ディスペンサー容器であって、柔軟な材料および、
前記の柔軟な材料に形成された開口部を含み、材料ディスペンサー容器が分配される材料を保持することができることを特徴とする材料ディスペンサー容器。
【請求項２】
前記の開口部がスリットを含む、特許請求の範囲第1項の材料ディスペンサー容器。
【請求項３】
前記のスリットがアプリケータ先端部の横寸法の少なくとも３倍の縦寸法を有する、特許請求の範囲第２項の材料ディスペンサー容器。
【請求項４】
前記の柔軟な材料がブロックを含む、特許請求の範囲第1項の材料ディスペンサー容器。
【請求項５】
前記のブロックが６つの実質的に平面状の側面を有する、
特許請求の範囲第４項の材料ディスペンサー容器。
【請求項６】
前記のブロックが発泡体を含む、特許請求の範囲第４項の材料ディスペンサー容器。
【請求項７】
さらに、前記の開口部に設けられ前記の柔軟な材料で保持される材料を含む、特許請求の範囲第1項の材料ディスペンサー容器。
【請求項８】
前記の材料が封止剤、樹脂、結合剤、止血剤、殺菌剤、減感剤、漂白剤、染色液、色味剤または染料とからなる群から選択される、
請求項４の材料ディスペンサー容器。
【請求項９】
さらに、前記の柔軟な材料の周囲に設けられた不浸透性材料を含む、特許請求の範囲第1項の材料ディスペンサー容器。
【請求項１０】
前記の柔軟な材料が前記の材料に化学作用をもつ光を遮断する、特許請求の範囲第７項の材料ディスペンサー容器。
【請求項１１】
さらに、前記の柔軟な材料を所定の位置に保持する手段を含む、特許請求の範囲第1項の材料ディスペンサー容器。
【請求項１２】
前記の保持する手段が感圧接着剤を含む、特許請求の範囲第1１項の材料ディスペンサー容器。
【請求項１３】
さらに、前記の感圧接着剤を被覆する取り外し可能な保護基材を含む、特許請求の範囲第1２項の材料ディスペンサー容器。
【請求項１４】
前記の保持する手段がリングを含む、特許請求の範囲第1１項の材料ディスペンサー容器。
【請求項１５】
歯科処置に用いられる低粘度材料を分配するのに使用する低粘度材料ディスペンサー容器であって、柔軟な材料のブロックおよび、前記の柔軟な材料のブロックの１つの側面に形成された開口部を含み、低粘度材料ディスペンサー容器が歯科処置を実施するのに分配される低粘度材料を保持することができることを特徴とする低粘度材料ディスペンサー容器。
【請求項１６】
前記の柔軟な材料のブロックが発泡体を含む、特許請求の範囲第15項の歯科処置に用いられる低粘度材料を分配するのに使用する低粘度材料ディスペンサー容器。
【請求項１７】
さらに、前記の開口部を有する１つの側面の反対側に位置する、前記の柔軟な材料のブロックの１つの側面に形成された感圧接着剤を含む、特許請求の範囲第15項の歯科処置に用いられる低粘度材料を分配するのに使用する低粘度材料ディスペンサー容器。
【請求項１８】
さらに、前記の柔軟な材料のブロックに設けられた不浸透性材料を含む、特許請求の範囲第15項の歯科処置に用いられる低粘度材料を分配するのに使用する低粘度材料ディスペンサー容器。
【請求項１９】
前記の柔軟な材料のブロックが化学作用のある光を遮断し、前記の柔軟な材料のブロック内に置かれた感光性材用は反応しない、
特許請求の範囲第15項の歯科処置に用いられる低粘度材料を分配するのに使用する低粘度材料ディスペンサー容器。
【請求項２０】
さらに、前記の柔軟な材料のブロック内に置かれた材料を含む、特許請求の範囲第15項の歯科処置に用いられる低粘度材料を分配するのに使用する低粘度材料ディスペンサー容器。
【請求項２１】
前記の材料が封止剤、樹脂、結合剤、止血剤、殺菌剤、減感剤、漂白剤、染色液、色味剤または染料とからなる群から選択される、特許請求の範囲第２０項の歯科処置に用いられる低粘度材料を分配するのに使用する低粘度材料ディスペンサー容器。
【請求項２２】
歯科処置に用いられる低粘度材料を分配するのに使用する単位分量低粘度材料ディスペンサー容器であって、６つの側面を有する柔軟な材料のブロック、前記の柔軟な材料のブロックの１つの側面に形成されたスリット、前記の柔軟な材料のブロックの１つの側面の反対側に位置する、前記の柔軟な材料のブロックの１つの側面に形成された感圧接着剤および、前記の感圧接着剤に離すことができるように適用された保護基材を含み、低粘度ディスペンサー容器が配分される低粘度材料を保持することができることを特徴とする単位分量低粘度材料ディスペンサー容器。
【請求項２３】
さらに、前記の柔軟な材料のブロックの５つの側面を被覆する不浸透性材料を含む、特許請求の範囲第２２項の歯科処置に用いられる低粘度材料を分配するのに使用する単位分量低粘度材料ディスペンサー容器。
【請求項２４】
さらに、封止剤、樹脂、結合剤、止血剤、殺菌剤、減感剤、漂白剤、染色液、色味剤または染料とからなる群から選択される材料を含む、特許請求の範囲第２２項の歯科処置に用いられる低粘度材料を分配するのに使用する単位分量低粘度材料ディスペンサー容器。
【請求項２５】
歯科処置に用いられる材料を分配するための単位分量低粘度材料ディスペンサー容器システムであって、塗布先端部を有するアプリケータ、前記の塗布先端部が横寸法を有し、6つの側面を有する柔軟な材料のブロック、前記の柔軟な材料のブロックの１つの側面に形成されたスリット、前記のスリットが縦寸法を有し、前記の縦寸法が前記のアプリケータの塗布先端部の横寸法の少なくとも３倍であり、および、
前記の柔軟な材料のブロック内に置かれた材料、前記の材料が交差汚染の可能性を防ぐ単位分量で分配できることを特徴とする単位分量低粘度材料ディスペンサー容器システム。
【請求項２６】
さらに、前記の1つの側面の反対側に位置する、前記の柔軟な材料のブロックの他の側面に設けられた感圧接着剤を含む、特許性請求の範囲第２５項の歯科処置に用いられる材料を分配するための単位分量低粘度材料ディスペンサー容器システム。
【請求項２７】
さらに、前記の柔軟な材料のブロックの６つの側面の内５の側面に設けられた不浸透性材料を含む、特許請求の範囲第２５項の歯科処置に用いられる材料を分配するための単位分量低粘度材料ディスペンサー容器システム。
【請求項２８】
前記の材料が、封止剤、樹脂、結合剤、止血剤、殺菌剤、減感剤、漂白剤、染色液、色味剤または染料とからなる群から選択される、特許請求の範囲第２５項の歯科処置に用いられる材料を分配するための単位分量低粘度材料ディスペンサー容器システム。
【請求項２９】
歯科処置に用いられる材料を分配するための低粘度材料ディスペンサー容器システムであって、個々に分離可能なように一緒に取り付けられた複数のディスペンサー容器、前記の複数のディスペンサー容器のそれぞれがアプリケータの塗布先端部を受け入れるために適合されたスリットを有する柔軟な材料のブロックを含むことを特徴とする低粘度材料ディスペンサー容器システム。
【請求項３０】
前記の複数のディスペンサー容器のそれぞれが個々に識別可能である、特許請求の範囲第２９項の歯科処置に用いられる材料を分配するための低粘度材料ディスペンサー容器システム。
【請求項３１】
前記の複数のディスペンサー容器のそれぞれが分配される異なる材料を含有する、特許請求の範囲第２９項の歯科処置に用いられる材料を分配するための低粘度材料ディスペンサー容器システム。
【請求項３２】
さらに、前記の複数のディスペンサー容器の１つの側面に形成された感圧接着剤を含み、前記の複数のディスペンサー容器のそれぞれが表面に取り付けができる、特許請求の範囲第２９項の歯科処置に用いられる材料を分配するための低粘度材料ディスペンサー容器システム。
【請求項３３】
歯科処置に用いられる材料を分配するための方法であって、柔軟な材料のブロックに形成されたスリットに材料を配置すること、
前記の柔軟な材料のブロックに形成されたスリットにアプリケータの先端部を挿入すること、および、前記の材料が分配される歯科処置において前記のアプリケータを使用することを含むことを特徴とする、歯科処置に用いられる材料を分配するための方法。
【請求項３４】
さらに、前記の柔軟な材料のブロックに識別情報を設ける、特許請求の範囲第３３項の歯科処置に用いられる材料を分配するための方法。
【請求項３５】
さらに、前記の柔軟な材料のブロックを１つの表面に取り付けて、前記の柔軟な材料のブロックが確実に所定の位置に保持される、特許請求の範囲第３３項の歯科処置に用いられる材料を分配するための方法。
【請求項３６】
歯科処置に用いられる異なる材料を分配する方法であって、第一の材料を柔軟な材料の第一のブロックに形成されたスリットに配置する工程、第二の材料を柔軟な材料の第二のブロックに形成されたスリットに配置する工程、前記の柔軟な材料の第一のブロックに形成されたスリットにアプリケータの先端部を挿入する工程、歯科処置において前記のアプリケータを使用する工程、前記の柔軟な材料の第二のブロックに形成されたスリットにアプリケータの先端部を挿入する工程および、歯科処置において前記のアプリケータを使用する工程を含み、歯科処置に適用される前に前記の第一および第二の材料が柔軟な材料の第一および第二のブロックに別々に含有されることを特徴とする、歯科処置に用いられる異なる材料を分配する方法。
【請求項３７】
さらに、前記の柔軟な材料の第一および第二のブロックそれぞれの識別情報を設ける工程を含む、特許請求の範囲第３６項の歯科処置に用いられる異なる材料を分配する方法。
【請求項３８】
さらに、前記の第一および第二のブロックを容易に分離できるように一緒に取り付ける工程を含む、特許請求の範囲第３６項の歯科処置に用いられる異なる材料を分配する方法。
【請求項３９】
さらに、前記の柔軟な材料の第一および第二のブロックを１つの表面に取り付ける工程を含む、特許請求の範囲第３６項の歯科処置に用いられる異なる材料を分配する方法。
【請求項４０】
歯科処置の間に歯科用器具を清浄および滑らかにする方法であって、歯科材料を歯科用器具で作業する工程、前記の歯科用器具を、滑剤を含有するスリットを有する柔軟な材料のブロックに配置する工程および、前記の歯科材料で再作業する工程を含み、前記の歯科材料が滑らかにされおよび清浄され、前記の歯科材料が前記の歯科材料の作業の間に前記の歯科用器具に付着するのを防ぐことを特徴とする歯科用器具を清浄および滑らかにする方法。
【発明の詳細な説明】
【技術分野】
【０００１】
本発明は一般に歯科材料を付与するためのディスペンサー容器および付与補助器具に関し、より詳細には歯科用器具またはアプリケータで使用する単一分量の低粘度歯科材料を保持できるディスペンサー容器に関する。
【背景技術】
【０００２】
種々の歯科処置の間に付与されるに違いない多種の歯科材料がある。これらの材料のいくつかは比較的低粘度であり、そのため単一分量で付与または分配(dispense)するのが困難なことがありうる。また、ある種の歯科処置において、異なる種類の材料を引き続き付与する必要がある。ある種の歯科処置において、他の歯科材料が歯科用器具にくっ付かないようにその器具をシリコーンのような滑剤で被覆する必要がある。歯科処置でこの種の付与に単位分量あるいは少量の低粘度歯科材料で作業するのが困難なことがしばしばある。
【０００３】
低粘度歯科材料を分配するための歯科カプセルが、デスコ(Discko)に2000年8月８日発行された米国特許６０９９３０７号「低粘度歯科材料を含有する歯科カプセルおよび前記の低粘度材料を充填および付与する方法」に開示されている。その特許で、歯科材料のような低粘度または液体を保存および分配するのに用いられる歯科カプセルが開示されている。スポンジが、移動可能なピストンによって液体歯科材料を歯科カプセルから搾り出し分配させるようにスポンジまたは発泡体材料を搾るまでは歯科材料を保持する歯科カプセルの本体部分内に保持される。その他の低粘度材料分配システムがドラガン(Dragan)らに2001年12月11日発行された米国特許６３２８７１５号「単位分量低粘度材料分配システム」に開示されている。その特許で、低粘度材料を制御して分配するため送出用注射器に使用するように適合させた弾力性のある壁面を有する密封したアンプルが開示されている。このアンプル内に含有される低粘度歯科材料が注射器のプランジャーを押し、アンプルを壊すことにより分配される。これらの低粘度材料送出システムはこれまで歯科処置の間に低粘度材料を付与するのに有用であったが、それらにおいては、しばしば比較的多量の低粘度材料を必要とし、従来の他の歯科用器具またはアプリケータと一緒に使用するのが不便である。また、歯科用器具を少量の滑剤で被覆することは、歯科処置の間に補修材料が歯科用器具に付着することを防ぐのにしばしば役立つが、困難である場合が多い。
【０００４】
複合材料および他の修復材料は歯を修復するのにずいぶん長期間、歯科医術で用いられている。しばしば、複合材料は比較的高い粘性と粘着性があり、それを歯の空洞に詰めるために手動器具で拾い上げてセットされる。注射器で分配するためにカプセル内にこれらの比較的粘性のある複合材料または修復材料を詰めることによって、器具の使用の必要性が最小になったが、器具が使用されなくなったのではない。多くの美顔用歯科医術の応用において、歯の上や中に一度セットされた複合材料または修復材料を形作り輪郭を付けたりするために、器具は益々使用されている。しかしながら、これらの複合修復材料の多くは粘着性があることが多い。これにより、複合修復材料のいくつかが器具に付着する結果になることがしばしばある。付着が引き戻しを起こし、それにより穴を発生させることがあり、形作り輪郭付けまたは修復作業に必要な時間を増加させる。複合材料または修復材料で作業する前にアルコール、樹脂、シリコーンまたは他の滑剤で器具を滑らかにする必要がしばしばある。これは器具を浸す皿または容器に、ある量の液体を入れるだけで行われてきた。これはしばしば無駄が多く、交差汚染の可能性になり、歯科用器具に形成される過剰な材料の問題を防ぐことができない。
【０００５】
したがって、少量の低粘度材料を容易に分配でき、従来の歯科用器具またはアプリケータとの組み合わせで使用できるディスペンサー容器のニーズが生じる。
【発明の開示】
【発明が解決しようとする課題】
【０００６】
本発明は低粘度歯科材料を付与するための材料ディスペンサー容器および歯科用器具で用いられる付与補助用具である。一定量の低粘度材料を含有するのに十分な吸収性があり柔軟な材料からなるブロックが１つの側面にスリットを有する。自己粘着型接着剤またはリングのような表面に材料のブロックを取り付ける手段がブロックの他の表面または側面にある。歯科処置で用いる少量の低粘度材料がスリット内に置かれ分配する柔軟な材料のブロック内に保持される。アプリケータまたは歯科用器具が低粘度材料で被覆されるように歯科用器具またはアプリケータがスリットに挿入される。歯科用器具またはアプリケータを挿入しスリットから引き離すことにより、使用される過剰の材料が蓄積するのが防がれるのみならず、他の望ましくない材料が歯科用器具またはアプリケータから清浄されまたは拭き取られる。本発明の他の実施形態において、ブロックの側面または表面が不浸透性材料で被覆される。
【０００７】
したがって、本発明の１つの課題は低粘度歯科材料を分配することができるディスペンサー容器を提供することである。
【０００８】
本発明の他の課題は低粘度材料の無駄を防ぐ単一分量の低粘度材料を含有すディスペンサー容器を提供すること、および、歯科処置中の材料の繰り返し付与の間に用いられる歯科用器具またはアプリケータの清浄を助けることである。
【課題を解決するための手段】
【０００９】
付与される歯科材料が材料の柔軟な吸収性ブロック内に含有されることは本発明の1つの特徴である。
【００１０】
吸収性材料内のスリットが投与および歯科用器具またはアプリケータの清浄を助けるために用いられることは本発明のもう1つの特徴である。
【００１１】
接着剤表面がディスペンサー容器を表面に固定するのに助けになることは、本発明のさらなる特徴である。
【発明の効果】
【００１２】
感光性材料が、その感光性材料が早まって活性化されずに分配できることは本発明の利点である。
【００１３】
材料の飛び散るのを防げるのが本発明のもう１つの利点である。
【００１４】
歯科処置で用いられる複数の異なる材料を分配するために多数のディスペンサー容器を組み合わせて使用できることが、本発明のさらにもう１つの利点である。
【００１５】
交差汚染を防ぎ、安価で使い捨てできることが、本発明のさらにもう１つの利点である。
【００１６】
これらおよび他の課題、利点および特徴は以下のより詳細な説明から、より容易になるであろう。
【発明を実施するための最良の形態】
【００１７】
図１は歯科処置における本発明の適用を説明している。図1は歯科用器具１２が患者に用いられる歯科治療室１０を例証する。本発明のディスペンサー容器１４が医師に握られおり、患者に歯科処置を施す際に歯科用器具１２と組み合わせて用いられる。ディスペンサー容器１４は低粘度歯科材料を分配または歯科材料を付与する補助用具に用いられる。
【００１８】
図２は図１で例証したディスペンサー容器１４をより明瞭に説明する斜視図である。ディスペンサー容器１４は発泡体材料16の立方体またはブロックを含む。ブロック１６は発泡体のような弾力的または柔軟な材料で作ることができる。好ましくは、ブロック１６は高密度で独立気泡のポリエチレン発泡体で作られる。ブロック１６は、使用を意図する大抵の化学薬品または歯科材料に対し不浸透性であり、相互作用がない。また、ブロック１６は感光性材料を含有できるように不透明に作られてもよい。ブロック１６は立方体、直方体、円形または他の同様なまたは等価形状のようないかなる便利な形状でつくることができる。ブロック１６の１つの表面に開口部またはスリット１８がある。その開口部またはスリット１８はブロック１６の本体内に伸びており、歯科用器具またはアプリケータがその中に置かれるように適合されている。ブロック１６の他の表面にコンタクト型接着剤２０がある。保護基材２２がコンタクト型接着剤２０の上に置かれる。ブロック１６は、開口部またはスリット１８がブロック１６内に含有されたいかなる材料も部分的にシールされるように通常閉じられてまたはほとんど閉じられているように、弾力性の材料で作られる。ブロック１６の材料は十分に弾力性があり歯科用器具またはアプリケータを開口部またはスリット１８を通って挿入させることができ、さらにスリット１８の側面が歯科用器具またはアプリケータに密接して適合させることができる。歯科用器具およびアプリケータなる用語は置換可能で、歯科処置に用いられる材料を付与または作業するのに使用されるいかなるデバイスを意味する。
【００１９】
適用する多種類の材料が図２に例証されるディスペンサー容器１４で使用され得る。例えば、ディスペンサー容器１４は予めある材料の所定量が入れられ、または医師が歯科処置で用いるためにスリット１８に望みの材料を追加することができる。感光性樹脂のような滑剤をディスペンサー容器１４に入れておくことができる。他の滑剤、例えばシリコーン、テフロン（登録商標)、グリセリンまたは他の滑剤が使用できる。滑剤は歯科用器具の清浄、調整および滑らかにすることに役立つ。このことは、修復材料のような歯科材料が歯科用器具が予め滑らかにされていないと歯科用器具に付着する可能性がある場合に特に有利である。もし歯科用器具が修復材料に付着すると、歯科医は適切に修復の形作りができない。また、ディスペンサー容器１４に入れられるものは、他の相対的に低粘度材料、例えば穴や亀裂の封止剤、軽度に詰め物をした樹脂、結合剤、虫歯検知染料、止血剤、殺菌剤、漂白剤、染色液、色味剤、化学活性化薬品または歯科処置に希望されて付与または使用される他の類似の相対的に低粘度材料が挙げられる。図３ＡおよびＢは歯科処理で用いられる歯科材料を付与する際に本発明の使用法を説明する。ブロック１６に形成された開口部またはスリット１８が窪み１９を形成する。歯科材料アプリケータまたは器具２４のアプリケータ先端部２６は窪み１９内に置くことができる。開口部またはスリット１８は、アプリケータまたは器具２４のアプリケータ先端部２６がスリット２４を通して押し込まれるまではブロック１６の材料の弾力によって通常は閉じられている。好ましくは、スリット１８は歯科材料アプリケータのアプリケータ先端部２６の直径または横寸法の少なくとも３倍の縦寸法を有する。歯科材料は窪み１９とブロック１６の材料内に保持される。そのブロック１６は表面２８に取り付けられるように感圧接着剤２０によって確実に所定の位置に保持することができる。感圧接着剤２０またはブロック１６を固定するための他の手段の使用によって、歯科医がブロック１６を保持するために片手を使用する必要がなく歯科処理の間に両手が使えることができる。器具または歯科材料アプリケータ２４をディスペンサー容器１４に挿入後、器具または歯科材料アプリケータ２４は図３Ｂに例証するように歯科処置に使用することができる。図３Ｂに示すように、器具または歯科材料アプリケータ２４は歯２７に形成された空洞２９を処理するために用いられる。
【００２０】
好適な適用において、ディスペンサー容器１４内に含有された歯科材料は感光性樹脂のような滑剤または結合剤であり、空洞を埋めるまたは他の使用のための補修材料または複合材料と相容性がある。滑剤またはディスペンサー容器１４内に含有された樹脂は、アプリケータ先端部２６が補修または歯２７の外観を改善するために用いられる複合材料または補修材料にくっ付かないように、アプリケータ先端部２６を滑らかにするため使用される。アプリケータによって、最後の修復の表面仕上げを改善するために釉薬、結合剤または封止剤をも塗布することができる。器具またはアプリケータ２４は、歯科処置の間に歯科材料アプリケータ２４のアプリケータ先端部２６上に形成される過剰の複合材料または補修材料を清浄にする機能も有する。それゆえ、比較的に清浄な器具またはアプリケータ２４が歯２７の形作りまたは補修の仕上げに用いられる。
【００２１】
図４はディスペンサー容器１４の断面図であり、その構造をより明瞭に説明している。ブロック１６内にスリット１８が窪み１９を形成する。その窪み１９内に歯科材料３０が入れられる。器具または歯科材料アプリケータ２４のアプリケータ先端部２６がスリット１８を通ってくぼみ１９に置かれる。歯科材料３０でアプリケータ先端部２６を被覆される。ブロック１６の弾力のある側壁はアプリケータ先端部２６から過剰の歯科材料３０を拭き取る役目を果たすとともに、歯科処理の間にアプリケータ先端部２６上に蓄積するかもしれない他の材料を拭き取る役目を果たす。ブロック１６の１つの表面は保護基材２２によって最初に保護されて、表面に形成されたコンタクト型接着剤２０を有する。コンタクト型接着剤２０は、歯科医が使用の間にブロック１６を保持するのに手を使う必要がないよう便利な表面にブロック１６を取り付けるために使用される。
【００２２】
図５は使用の間にディスペンサー容器を固定するための手段に用いる本発明の他の実施形態を説明する。ディスペンサー容器１１４はスリット１１８を有するブロック１１６を含む。リング１２０がブロック１１６の１つの表面に置かれる。リング１２０は歯科医または助手の指にはめ込むように適したサイズである。
【００２３】
図６は本発明の適用および使用する人または歯科医の手への取り付けを説明する。１つの実施形態において、ディスペンサー容器１４は立方体１６の１つの表面上のコンタクト型接着剤２０によって使用する人の手に取り付けられる。本発明の他の実施形態において、ディスペンサー容器１１４はブロック１１６に取り付けられたリング１２０で指に保持することができる。取り付けのための他の公知のまたは等価手段が表面、使用する人の手または他の体の部分に本発明のディスペンサー容器を固定するために使用することができる。
【００２４】
図７は本発明の他の実施形態を説明する。ディスペンサー容器２１４は、細長い開口部またはスリット１１８を有する細長いブロック２１６を含む。細長いブロック２１６の１つの表面にコンタクト型接着剤２２０がある。コンタクト型接着剤２２０は最初に保護基材２２２によって保護されている。細長いブロック２１６は直方体または他の適切な形状であってよい。これによって、開口部またはスリット２１８がより大きく、追加の表面を創出でき、ディスペンサー容器２１４がより多くの材料を保持することができるとともに、異なるサイズまたは形状の器具または歯科材料アプリケータを収容することができる。本発明を形成するのに使用されるブロックは多様な寸法、形状およびサイズで作られるが、好適な実施形態に例証した立方体または直方体の形状に決して限定されないことは理解されるべきである。
【００２５】
図８は外側に不浸透性膜を用いる本発明の他の実施形態を説明する。ディスペンサー容器３１４は、窪み３１９を形成する、スリット３１８を有する発泡体材料で作られたブロック３１６を含む。歯科材料３３０は窪み３１９内に含有される。その材料３３０はブロック３１６内に充満または含有される。不浸透性材料３３２はブロック３１６の表面または側面に形成され、歯科材料３３０をブロック３１６内に保持する。コンタクト型接着剤３２０は不浸透性材料３３２の１つの表面に置かれる。保護基材３２２は最初にコンタクト型接着剤３２０を保護する。この実施形態において、より多孔性の材料が追加的な歯科材料３３０を保持するためにブロック３１６内で使用できる。不浸透性材料３３２によって、ブロック３１６内の歯科材料３３０がブロック３１６の側面を通って染みるのを防ぐ。不浸透性材料３３２はいかなる不浸透性材料でもよく、例えばプラスチックス、ゴムまたはブロック３１６内に含有している歯科材料３３０が浸透しない他の等価材料が挙げられる。また、不浸透性材料３３２は、ブロック３１６内に含有している感光性材料を活性化するかもしれない化学作用のある光を阻止する材料で作ることができる。
【００２６】
図９は複数のディスペンサー容器を用いる本発明の他の実施形態を説明する。複数のディスペンサー容器４１４は分離線４３４に沿って容易に分離される帯状に形成できる。分離線４３４は隣接するディスペンサー容器の間で弱められまたは部分的に切断されて形成される。複数のディスペンサー容器のそれぞれは、４１６Ａ、４１６Ｂおよび４１６Ｃとして識別されるただ第一の３つのブロックで示すブロックを含む。そのブロックのすべては、スリット４１８Ａ，４１８Ｂおよび４１８Ｃとして第一の３つで示すスリットを有する。コンタクト型接着剤４３０は保護基材４２２を有する複数のブロックの１つの表面に貼り付けられる。図９に例証される実施形態は、複数のディスペンサー容器４１４を有しパッケージおよび分配利便性のものとして使用できるのみならず、歯科処置に用いられる歯科材料の多種に分けられた成分を便利に分配するためにも使用される。例えば、ブロック４１６Ａは第一の歯科材料、ブロック４１６Ｂはブロック４１６Ａに含有された第一の歯科材料に引き続き付与されるのに必要とされるかもしれない第二の歯科材料を含有する。それゆえ、複数の異なるディスペンサー容器４１４を使用することにより、混合すると歯科処理の間に反応するかもしれない少量の歯科材料の分離が可能となる。化学的に活性化された材料のそのような成分の一部は、結合、エッチング、減感、他の類似材料のような広範囲の歯科処置に使用ができよう。自己エッチング結合剤なども使用できよう。ブロック４１６Ａ，４１６Ｂおよび４１６Ｃは、それらが個別に識別可能になるように視覚的に特徴的なものにすることができる。このことは、それぞれのブロック４１６Ａ、４１６Ｂおよび４１６Ｃの各々に付けられたラベル４１７Ａ、４１７Ｂおよび４１７Ｃで、または各ブロックに異なる色をつけることで実施されよう。それゆえ、多成分材料システムの各々の成分が容易に識別される。
【００２７】
本発明は比較的に低粘度材料の少量を分配するための比較的高価でない経済的な手段を提供する。本発明は、予め調剤した形または、医師が最適な材料を加えられるように何の材料も使用されない形で容易に提供され得る。ブッロク材料の弾力性はそこに形成されるスリットと組み合わされて、器具または歯科材料アプリケータが挿入されるまではスリットが閉じられている利点を有する。このことにより、感光性材料の使用が現実的になる。閉じられたスリットによって、感光性材料が周囲の光による反応から守られる。一般的に光活性化された材料は、使用するために容易に利用できる一方で光を封じた容器に保持するのが困難であるから、分配するのが困難である。本発明が歯科用器具を滑らかにするために理想的に適していながら、他のより粘性と粘着性のある歯科組成物を付与するために使用することもできる。非常に広範囲な粘度を有する種々の材料が本発明で使用できる。また、他の種々の材料が容易に分配される。
【００２８】
種々の好適な実施形態が例証され説明されてきたが、種々の変更が本発明の主旨と範囲を逸脱することなくなし得ることは当業者には明らかであろう。
【図面の簡単な説明】
【００２９】
【図１】歯科治療室で本発明の適用を概略的に説明する。
【図２】本発明の１つの実施形態を説明する斜視図である。
【図３Ａ】歯科処置での本発明の適用を説明する。
【図３Ｂ】歯科処置での本発明の適用を説明する。
【図４】本発明の１つの実施形態をより詳細に説明する断面図である。
【図５】本発明のもう１つの実施形態を説明する斜視図である。
【図６】使用する人に装着された本発明の異なる実施形態を説明する斜視図である。
【図７】本発明のもう１つの実施形態を説明する斜視図である。
【図８】不浸透性で外側の膜を有する本発明のもう１つの実施形態を説明する断面図である。
【図９】複数の分離可能なブロックまたはディスペンサー容器を使用する本発明のもう１つの実施形態を説明する斜視図である。
【図１】
2007505709.tif 000003
【図２】
2007505709.tif 000004
【図３Ａ】
2007505709.tif 000005
【図３Ｂ】
2007505709.tif 000006
【図４】
2007505709.tif 000007
【図５】
2007505709.tif 000008
【図６】
2007505709.tif 000009
【図７】
2007505709.tif 000010
【図８】
2007505709.tif 000011
【図９】
2007505709.tif 000012
【国際調査報告】
2007505709.tif 000013